(57)【特許請求の範囲】
【請求項１】
スラブに取付けられたアンカー部材と、
前記アンカー部材が埋設され前記スラブの上に固定されたコンクリート製の固定部材と、
前記固定部材の上面、側面及び前記スラブの上面を覆う防水層と、
前記防水層に覆われた前記固定部材の前記上面及び前記側面の周囲を取り囲んで構築され、前記スラブの上に設けられた設備基礎と、
を有する耐震設備基礎。
【請求項２】
前記アンカー部材は、アンカーボルト又は鉄筋である請求項１に記載の耐震設備基礎。
【発明の詳細な説明】
【技術分野】
【０００１】
本発明は、耐震設備基礎に関する。
【背景技術】
【０００２】
一般的に、屋外に配置される重い設備機器類は、スラブ上に構築され、スラブとスラブ鉄筋で連結された設備基礎（いわゆる梁型基礎）に固定される。一方、軽い設備機器類は、スラブ鉄筋とは連結されず、防水層の上に設置された設備基礎（いわゆるベタ基礎）に固定される。このため、ベタ基礎では、地震時に位置ズレする可能性がある。
ベタ基礎をアンカーボルトでスラブに固定すれば、位置ズレの抑制は可能となるものの、アンカーボルトが防水層を貫通するため、防水機能を損なう恐れがある。
アンカーボルトを用いずに、スラブに設備基礎を固定する技術には特許文献１がある。
【０００３】
特許文献１は、設備基礎を囲む四隅に、位置ズレを防止する係止部材を設ける構成である。具体的には、屋上床版から、屋上床版と一体構造として形成された係止部材を立ち上げる。これにより、防水機能を損なわずに、設備基礎の四隅に設けられた係止部材により、位置ズレが防止される。
【先行技術文献】
【特許文献】
【０００４】
【特許文献１】特開２００３−３２８５０９号公報
【発明の概要】
【発明が解決しようとする課題】
【０００５】
しかし、特許文献１は、位置ズレを防止する係止部材を、屋上床版と一体構造として形成する構成のため、既築建物には適用できない。
【０００６】
本発明は、上記事実に鑑み、防水機能を損なわずに、既築建物にも適用できる耐震設備基礎を提供することを目的とする。
【課題を解決するための手段】
【０００７】
請求項１に記載の発明に係る耐震設備基礎は、スラブに取付けられたアンカー部材と、前記アンカー部材が埋設され前記スラブの上に固定されたコンクリート製の固定部材と、前記固定部材の上面、側面及び前記スラブの上面を覆う防水層と、前記防水層に覆われた前記固定部材の前記上面及び前記側面の周囲を取り囲んで構築され、前記スラブの上に設けられた設備基礎と、を有することを特徴としている。
【０００８】
請求項１に記載の発明によれば、地震時には、アンカー部材よってスラブに固定された固定部材により、固定部材を内包させてスラブの上に構築された設備基礎の移動が制限さる。これにより、設備基礎の位置ズレを抑制することができる。
また、固定部材の外面及びスラブの上面を覆う防水層により、新築建物、既築建物を問わず、防水機能が維持される。
【０００９】
一態様の発明は、請求項１に記載の耐震設備基礎において、前記固定部材は、前記アンカー部材を内包させて、前記スラブの上に打設されたコンクリートで構築されていることを特徴としている。
【００１０】
これにより、スラブの構築と切り離して固定部材を構築することができ、施工性が向上する。
【００１１】
請求項２に記載の発明は、請求項１に記載の耐震設備基礎において、前記アンカー部材は、アンカーボルト又は鉄筋であることを特徴としている。
【００１２】
請求項２に記載の発明によれば、アンカー部材は、新築建物においては、スラブ施工時に予めアンカーボルトを埋め込んでおく構成でもよいし、鉄筋を立ち上げておく構成でもよい。また、既築建物においては、防水層を貫通させて、スラブにアンカーボルトを埋め込む構成とすることができる。
【発明の効果】
【００１３】
本発明は、上記構成としてあるので、防水機能を損なわずに、既築建物にも適用できる耐震設備基礎を提供することができる。
【図面の簡単な説明】
【００１４】
【図１】（Ａ）は本発明の第１実施形態に係る耐震設備基礎の基本構成を示す平面図であり、（Ｂ）は（Ａ）のＸ−Ｘ線位置における断面図である。
【図２】（Ａ）〜（Ｄ）は本発明の第１実施形態に係る耐震設備基礎の構築手順を示す断面図である。
【図３】（Ａ）は本発明の第２実施形態に係る耐震設備基礎の基本構成を示す断面図であり、（Ｂ）はその平面図である。
【図４】（Ａ）〜（Ｄ）は本発明の第３実施形態に係る耐震設備基礎の構築手順を示す断面図である。
【発明を実施するための形態】
【００１５】
（第１実施形態）
図１、図２を用いて、第１実施形態に係る耐震設備基礎１０について説明する。
ここに、図１の（Ａ）、（Ｂ）は、耐震設備基礎１０の基本構成を示し、図２の（Ａ）〜（Ｄ）は、耐震設備基礎１０の構築手順を示している。
耐震設備基礎１０は、新設のスラブ１２への構築例である。
【００１６】
図１（Ａ）、（Ｂ）に示すように、耐震設備基礎１０は、スラブ１２に取付けられたアンカーボルト（アンカー部材）１４を有している。スラブ１２は新築建物の新設のスラブであり、防水層１８の施工は、後述するように、耐震設備基礎１０の施工と並行して進められる。
【００１７】
アンカーボルト１４は、平面視で矩形の角部に位置する４か所に取付けられている。アンカーボルト１４の下端部は、スラブ１２に固定され、上端部は、スラブ１２の上面１２Ｆから突出されている。アンカーボルト１４により、耐震設備基礎１０とスラブ１２が一体化される。
なお、アンカーボルト１４の使用本数は、４本に限定されることはなく、耐震設備基礎１０に要求される耐震強度から決定される。また、アンカーボルト１４は、広く流通している市販品であり詳細な説明は省略する。
【００１８】
スラブ１２の上には、４本のアンカーボルト１４を呑み込んで（内包させて）、コッター（固定部材）１６が構築されている。具体的には、アンカーボルト１４は、コッター１６の内部に完全に埋設されている。コッター１６は、直方体形状とされ、スラブ１２の上に、アンカーボルト１４を囲んで、コンクリートを打設して構築される。これにより、コッター１６は、４本のアンカーボルト１４を介して、スラブ１２と一体化される。
【００１９】
なお、コッター１６の上部の角部は、面取りをしておくのが望ましい。後述する防水層１８を角部で損傷させるのを防止するためである。
ここに、コッター１６の寸法、形状等は、設備機器２２を載置する設備基礎２０の寸法、形状等に基づいて決定される。例えば、コッター１６の形状に関しては、直方体形状のみでなく、円柱体形状や多角柱形状等、他の形状でもよい。
【００２０】
また、コッター１６の外面（上面１６Ｆ及び側面１６Ｓ）、及びスラブ１２の上面１２Ｆは、連続して敷設された防水層１８で覆われている。これにより、コッター１６を設けても、スラブ１２の防水機能が確保される。なお、コッター１６の外面の防水層１８の施工は、スラブ１２の防水層１８の施工と一体として行われる。
ここに、防水層１８は、アスファルトを用いた防水層、又はシートを用いた防水層のいずれでもよい。
【００２１】
スラブ１２の上には、防水層１８に覆われたコッター１６を呑み込んで（内包させて）、防水層１８の上に、設備基礎２０が構築されている。
設備基礎２０は、直方体形状とされ、コッター１６の上面１６Ｆ、及び側面１６Ｓの周囲に、コンクリートを打設して構築される。これにより、設備基礎２０は、コッター１６、及び４本のアンカーボルト１４を介して、スラブ１２と一体化される。
ここに、設備基礎２０の寸法、形状等は、設備基礎２０の上面２０Ｆに載置される設備機器２２の寸法、形状等に基づいて決定される。また、設備基礎２０の形状は、直方体形状のみでなく、円柱体形状や多角柱形状等、他の形状でもよい。
設備基礎２０の硬化を待って、上面２０Ｆに設備機器２２を載置し固定する。
【００２２】
次に、図２（Ａ）〜（Ｄ）を用いて、耐震設備基礎１０の構築手順について説明する。
【００２３】
図２（Ａ）に示すように、先ず、スラブ１２の構築後、防水層１８を施工する前に、スラブ１２にアンカーボルト１４を取り付ける。即ち、アンカーボルト１４の下部の埋め込み部をスラブ１２に埋め込み、上部をスラブ１２の上面１２Ｆから突出させる。
なお、アンカーボルト１４の取り付けは、コンクリートの打設前に、予め、スラブ鉄筋にアンカーボルト１４の下部の埋め込み部を固定しておき、コンクリートの打設時に、アンカーボルト１４の下部の埋め込み部を、スラブ鉄筋と一緒に埋め込む方法でもよい。
また、アンカーボルト１４に替えて、鉄筋を用いてもよい。このとき、鉄筋は、下部をスラブ配筋に固定してコンクリートに埋め込み、上部を、打設されたスラブから突出させる構成とすればよい。
【００２４】
次に、図２（Ｂ）に示すように、アンカーボルト１４を呑み込ませて（内包させて）、コッター１６を構築する。コッター１６は、スラブ１２の上のアンカーボルト１４の周囲に、コンクリートを打設して、所定の形状や大きさに構築される。コッター１６の上部の角部は、防水層１８の損傷を防止するため面取りをしておくのが望ましい。
【００２５】
なお、現場打ちコンクリートに替えて、内部に、アンカーボルト１４の挿入部が形成されたプレキャストのコンクリート製コッターや、樹脂製コッターを用いてもよい。この場合は、図示は省略するが、アンカーボルト１４の上から、コンクリート製コッターや、樹脂製コッターを被せる。このとき、アンカーボルト１４と、コンクリート製コッターや樹脂製コッターの、内部のアンカーボルト１４の挿入部との間に隙間が生じないように、隙間部にグラウト、ゴム、又はシール材等を充填させるのが望ましい。
【００２６】
次に、図２（Ｃ）に示すように、コッター１６の外面（上面１６Ｆ、側面１６Ｓ）及びスラブ１２の上面１２Ｆを防水層１８で覆う。防水層１８は、新設のスラブ１２の防水層１８の一部を形成しており、新設のスラブ１２の防水層の処理工程の一環として行なわれる。これにより、コッター１６をスラブ１２の上に設けても、新設のスラブ１２の防水機能が確保される。
【００２７】
次に、図２（Ｄ）に示すように、防水層１８に覆われたコッター１６を呑み込ませて（内包させて）、スラブ１２の上に設備基礎２０を構築する。
設備基礎２０は、コンクリートを打設して、コッター１６の周囲のスラブ１２の上に、所定の大きさ、形状で構築される。これにより、コッター１６とアンカーボルト１４を介して、スラブ１２と一体化される。
【００２８】
なお、現場打ちコンクリートに替えて、内部に、コッター１６の挿入部が形成されたプレキャストのコンクリート製設備基礎や、樹脂製設備基礎を用いてもよい。この場合は、図示は省略するが、コッター１６の上から、コンクリート製設備基礎や、樹脂製設備基礎を被せる。このとき、コッター１６と、コンクリート製設備基礎や樹脂製設備基礎の内部の、コッター１６の挿入部との間に隙間が生じないように、隙間部にグラウト、ゴム、又はシール材等を充填させるのが望ましい。
【００２９】
以上の工程で設備基礎２０が完成する。完成した設備基礎２０の上面２０Ｆには、設備機器２２が載置され、固定される。
【００３０】
本構成とすることにより、設備基礎２０は、内包させたコッター１６とアンカーボルト１４を介して、スラブ１２に固定されているので、地震時の水平力による、設備基礎２０の移動（位置ズレ）が抑制される。
また、コッター１６の外面（上面１６Ｆ、側面１６Ｓ）及びスラブ１２の上面を、一体的に覆う防水層１８により、スラブ１２の防水機能が維持される。
【００３１】
また、スラブ１２の構築と切り離して、コッター１６を構築する構成のため、設備機器２２の配置が決定される前であっても、スラブ１２を構築することができる。また、スラブの施工時に、コッター１６の型枠は不要であり、スラブ１２の構築が容易となる。
また、コッター１６を内包して設備基礎２０を構築する構成のため、設備基礎２０の乾燥収縮の影響を受けにくい。即ち、設備基礎２０が乾燥収縮することにより、コッター１６との一体性が向上し、コッター１６と設備基礎２０の間に隙間が生じにくい。更に、地震時の水平力の方向がいずれの方向であっても、コッター１６が有効に作用して、位置ズレを抑制する。
【００３２】
（第２実施形態）
次に、図３を用いて、第２実施形態に係る耐震設備基礎３０について説明する。
ここに、図３の（Ａ）、（Ｂ）は、耐震設備基礎３０の基本構成を示している。
耐震設備基礎３０は、複数のコッター１６を１つの設備機器３４が内包する点において、第１実施形態に係る耐震設備基礎１０と相違する。相違点を中心に説明する。
なお、図３の（Ａ）、（Ｂ）には、耐震設備基礎１０及び耐震設備基礎３０が記載されている。
【００３３】
耐震設備基礎３０は、スラブ１２の上に形成された、３個のコッター１６を有している。３個のコッター１６は、所定の間隔をあけて、同一方向に配置されている。なお、個々のコッター１６は、第１実施形態で説明したコッター１６と同じ構成であり、説明は省略する。また、３個のコッター１６の外面（上面１６Ｆ、側面１６Ｓ）は、いずれもスラブ１２の上面を覆う防水層１８により、一体的に覆われている。
【００３４】
設備基礎３２は、３個のコッター１６の全てを内包して（呑み込んで）、スラブ１２の上に、コンクリートを打設して構築されている。これにより、設備基礎３２は、広い上面３２Ｆを確保する構成で構築ことが可能となり、上面３２Ｆに、二点鎖線で示す大型の設備機器３４を載置し、固定することができる。
【００３５】
なお、本実施形態では、設備基礎３２を、一列に配置された３個のコッター１６の全てを内包する大きさと形状で説明した。しかし、これに限定されることはなく、載置する設備機器３４の大きさに対応させて、内包するコッター１６の数を決定することができる。また、コッター１６を、複数列に配置することもできる。
これにより、大きな設備機器３４であっても、必要とされるズレ止め強度を確保することができる。他の構成は、第１実施形態と同じであり説明は省略する。
【００３６】
（第３実施形態）
図４を用いて、第３実施形態に係る耐震設備基礎４０について説明する。
図４の（Ａ）〜（Ｄ）は、いずれも耐震設備基礎４０の構築手順を示している。
第３実施形態に係る耐震設備基礎４０は、既設のスラブ４２に設備基礎４８を構築する点において、第１実施形態に係る耐震設備基礎１０と相違する。相違点を中心に説明する。なお、耐震設備基礎４０は、既設のスラブ４２への構築例である。
【００３７】
耐震設備基礎４０の構築手順を、図４の（Ａ）〜（Ｄ）に従って説明する。なお、多くの工程は、記述の耐震設備基礎１０の構築手順と同じである。このため、相違点を中心に説明する。
【００３８】
先ず、図４（Ａ）に示すように、既築建物の既設のスラブ４２の上面４２Ｆの所定の位置に、アンカーボルト１４を取付ける。本実施形態においては、スラブ４２の上面４２Ｆには防水層４４が設けられているので、既設の防水層４４を貫通させて、スラブ４２にアンカーボルト１４を取り付ける。
【００３９】
次に、図４（Ｂ）に示すように、アンカーボルト１４を呑み込ませて（内包させて）、スラブ１２の上に、コッター３８を構築する。コッター３８は、コンクリートで打設して、所定の大きさに構築される。このとき、コッター３８は、既設の防水層４４の上に構築される。これにより、コッター３８は、アンカーボルト１４を介して、スラブ４２と一体化される。コッター３８の上部の角部は、防水層４６の損傷を防止するため面取りをしておくのが望ましい。
【００４０】
次に、図４（Ｃ）に示すように、コッター３８の外面（上面３８Ｆ、側面３８Ｓ）、及びスラブ４２の上面４２Ｆの一部を、新設の防水層４６で覆う。このとき、新設の防水層４６の端部４６Ｅは、既設の防水層４４の上に重ねた状態とされる。また、新設の防水層４６の端部４６Ｅは、後述する設備基礎４８の側面から、はみ出さない大きさとされている（図４（Ｄ）参照）。
【００４１】
次に、図４（Ｄ）に示すように、防水層４６に覆われたコッター１６を呑み込ませて（内包させて）、スラブ４２の上に、設備基礎４８を構築する。設備基礎４８は、コンクリートを打設して構築され、上面４８Ｆが設備機器２２の載置台とされる。
コンクリートの硬化を待って、設備基礎４８の上に設備機器２２を載置し、固定する。
【００４２】
これにより、新設の防水層４６でコッター３８が覆われ、更に、新設の防水層４６を呑み込んで新設の設備基礎４８を構築されるので、防水機能を損なわずに、設備基礎４８のズレを抑制することができる。
他の構成は、第１実施形態と同じであり説明は省略する。
【符号の説明】
【００４３】
１０、３０、４０  耐震設備基礎
１２  スラブ（新設のスラブ）
１４  アンカーボルト（アンカー部材）
１６、３８  コッター（固定部材）
１８、４６  防水層（新設の防水層）
２０、３２、４８  設備基礎
２２、３４  設備機器
４２  スラブ（既設のスラブ）
４４  防水層（既設の防水層）
【図１】
0006470507.tif 000002
【図２】
0006470507.tif 000003
【図３】
0006470507.tif 000004
【図４】
0006470507.tif 000005